(57)【要約】      （修正有）【課題】履物の形状、サイズに拘わらず１枚で対応できる雨除けカバーを提供する。【解決手段】履物及び下腿部を被覆することができる雨除けカバー１０である。その踵部側の上下方向全体に渡り分離して開閉端縁部１１ａ，１１ｂと成し、この開閉端縁部１１ａ，１１ｂのそれぞれに面ファスナー１２ａ，１２ｂを設ける。カバー先端の爪先部には履物の先端部を収納できる収納部１３を設ける。カバー下端周縁部後方の踵周辺部には履物のサイズに適合させるための帯状部材１６をカバー下端周縁部に沿って接合する。この帯状部材１６の一方端側に面ファスナー１６ａを設け、その他方端には前記面ファスナー１６ａと係止する面ファスナー１６ｂを設ける。これら両面ファスナー１６ａ，１６ｂ同士を相互に係止することによりカバー下端周縁部１５の外周長さが長短調整でき、履物のサイズに適合できる。【選択図】図１
0003166240.tif 000002
【実用新案登録請求の範囲】
【請求項１】
履物及び下腿部を被覆することができる雨除けカバーであって、その踵部側及び両側面の領域の任意の部位の上下方向全体に渡り分離して開閉端縁部(11a, 11b)と成し、
この開閉端縁部(11a, 11b)のそれぞれには係止部材(12a, 12b)を設けて開閉自在と成し、
カバー先端の爪先部には履物の先端部を収納できる収納部(13)を設け、
カバー下端周縁部(15)の収納部(13)を除く適宜位置には履物のサイズに適合させるためのサイズ調整手段を設けたことを特徴とする履物及び下腿部用雨除けカバー。
【請求項２】
前記サイズ調整手段がカバー下端周縁部(15)の踵周辺部に設けられ、
このサイズ調整手段がカバー下端周縁部に沿って接合された帯状部材(16)からなり、この帯状部材(16)の一方端側に面ファスナー(16a) 等の係止具を設け、その他方端には前記面ファスナー(16a) と係止する面ファスナー(16b) 等の係止受部を設け、これら両端部に設けた係止具と係止受部を係止することにより、カバー下端周縁部(15)の周囲長さを長短調整できることを特徴とする請求項１に記載の履物及び下腿部用雨除けカバー。
【請求項３】
前記サイズ調整手段がカバー下端周縁部の踵周辺部に設けられ、
サイズ調整手段がカバー下端周縁部(15)に沿ってその一方端部が固着された帯状部材(20)からなり、
この帯状部材(20)の他方端に面ファスナー(22a) 等の係止具を設け、この他方端の係止具と相互に係止する面ファスナー(22b) 等の係止受部をカバー下端周縁部(15)の適宜位置に設け、これら係止具と係止受部を相互に係止することにより、カバー下端周縁部(15)の周囲長さを長短調整できることを特徴とする請求項１に記載の履物及び下腿部用雨除けカバー。
【請求項４】
前記サイズ調整手段がカバー下端周縁部(15)の踵周辺部に設けられ、
サイズ調整手段がカバー下端周縁部(15)の適宜位置に設けた一方の面ファスナー(25)等の係止具と、この係止具と係止する他方の面ファスナー(26)等の係止受部を前記係止具と所定距離離隔してカバー下端周縁部(15)に設け、これら一方の係止具と他方の係止受部を相互に係止することにより、カバー下端周縁部(15)の周囲長さを長短調整できることを特徴とする請求項１に記載の履物及び下腿部用雨除けカバー。
【請求項５】
前記開閉端縁部(11a, 11b)のそれぞれに設けた係止部材が面ファスナー(12a, 12b)からなり、これら面ファスナー(12a, 12b)が開閉端縁部(11a, 11b)の上下方向の全体に渡り設けられていることを特徴とする請求項１乃至４の何れか１項に記載の履物及び下腿部用雨除けカバー。
【請求項６】
履物の先端部を収納できる収納部(13)の底面が、合成皮革等の堅牢な素材から形成されていることを特徴とする請求項１乃至５の何れか１項に記載の履物及び下腿部用雨除けカバー。
【考案の詳細な説明】
【技術分野】
【０００１】
本考案は、降雨時、自転車等に乗った際に、靴やズボンの裾部分を被覆して、つまり、履物や下肢の下腿部を被覆して雨除けと成す雨除けカバーの改良に関するものである。
勿論この雨除けカバーは、自転車に乗る場合ばかりでなく、通常の歩行時にも使用できるものである。
【背景技術】
【０００２】
従来のこの種のカバーとしては下記特許文献に記載のものを挙げることができる。
特許文献１に記載の「携帯防水靴カバー」は、靴と下肢部の全体を被覆して雨除けとしたものである。
その構成は、各種の靴形状に適合する袋状の形態を有し、開広口から靴部をそのまま収納し、下肢の下端部分をも同時に収納して、ベルト等で封止するものである。
【０００３】
特許文献２に記載の「靴着用下肢用防撥水カバー」は、靴着用者がそのまま靴と下肢下方部分を被覆でき、雨除けとしたものである。
その構成は、全体形状が略ブーツ形状のものからなり、その踵側の後方上下方向の全体に渡り開放縁部が形成されて、これらの開放縁部にベルト状の係止具が設けられて開閉自在とされ、カバー本体部の適宜部位に剛性を有する保形部材が設けられたものである。
【０００４】
特許文献１に記載のカバーは、靴部の全体を包み込むタイプのものであるために、靴としては、各種のタイプのものがあり、即ち、ビジネス・シューズ、運動靴、婦人靴、ハイヒール、サンダル等々と、これら形状の異なる履物に対しては、これらの履物の形状、特に踵形状等に合致させてそれぞれのタイプのものを用意する必要があり、異なるタイプの履物に一つのカバーで対処することができないという大きな問題がある。
また、このカバーを使用する場合、靴底部に対応するカバーの部分が直ぐに痛んでしまうという問題も見逃すことができない。
更に、カバーを装着する際にも、複数のベルト等の係止が必要で必ずしも簡単に装着できるというものではない。
【０００５】
また、特許文献２に記載のカバーにおいては、前記特許文献１に記載のカバーとは異なり、靴部の全体を被覆するものではなく、つまり、靴底部は、その爪先側を除き被覆されていないために、踵の異なる形状のものであっても、同じカバーで対処でき、靴底に対応するカバーが痛んでしまうという問題はない。
しかし、保形部材を設けている関係上、一部の形態の履物にしか対応できず、またこの保形部材の存在により、その保形部材のないものと比較すれば、その取扱い及び折畳んだ際のコンパクト化の点でもやや劣るものとなるし、靴のサイズに適合させるという技術思想は存在しない。
【先行技術文献】
【特許文献】
【０００６】
【特許文献１】特開２００２−２６２９０１号公報
【特許文献２】特開２００２−３０１号公報
【考案の概要】
【考案が解決しようとする課題】
【０００７】
そこで、本考案においては、履物及び下肢の下腿部（膝下部分）の両者を容易に被覆できるものであって、不使用時にはコンパクト化が容易に成され、どのような履物の形状にも一つのカバーで対応でき、しかも靴底部のカバーも痛むことがなく、そして一番の目的である履物の大小のサイズ（大きさ）に適合できる雨除けカバーを提供することをその課題とするものである。
【課題を解決するための手段】
【０００８】
上記課題を解決するために、本考案の第１のものは、履物及び下腿部を被覆することができる雨除けカバーであって、その踵部側及び両側面の領域の任意の部位の上下方向全体に渡り分離して開閉端縁部と成し、この開閉端縁部のそれぞれには係止部材を設けて開閉自在と成し、カバー先端の爪先部には履物の先端部を収納できる収納部を設け、カバー下端周縁部の収納部を除く適宜位置には履物のサイズに適合させるためのサイズ調整手段を設けたことを特徴とする履物及び下腿部用雨除けカバーである。
【０００９】
本考案の第２のものは、上記第１の考案において、前記サイズ調整手段がカバー下端周縁部の踵周辺部に設けられ、このサイズ調整手段がカバー下端周縁部に沿って接合された帯状部材からなり、この帯状部材の一方端側に面ファスナー等の係止具を設け、その他方端には前記面ファスナーと係止する面ファスナー等の係止受部を設け、これら両端部に設けた係止具と係止受部を係止することにより、カバー下端周縁部の周囲長さを長短調整できることを特徴とする履物及び下腿部用雨除けカバーである。
ここで、「面ファスナー等の係止具」及び「面ファスナー等の係止受部」というのは、面ファスナーの他に、留めホック、ボタンとボタン・ホール、紐状部材による相互締着、ゴム紐状輪状部材とボタン等、相互に締着・係止することができる１組の係止具と係止受部とからなる係止手段を意味するものである（以下同じ。）。
【００１０】
本考案の第３のものは、上記第１の考案において、前記サイズ調整手段がカバー下端周縁部の踵周辺部に設けられ、サイズ調整手段がカバー下端周縁部に沿ってその一方端部が固着された帯状部材からなり、この帯状部材の他方端に面ファスナー等の係止具を設け、この他方端の係止具と相互に係止する面ファスナー等の係止受部をカバー下端周縁部の適宜位置に設け、これら係止具と係止受部を相互に係止することにより、カバー下端周縁部の周囲長さを長短調整できることを特徴とする履物及び下腿部用雨除けカバーである。
【００１１】
本考案の第４のものは、上記第１の考案において、前記サイズ調整手段がカバー下端周縁部の踵周辺部に設けられ、サイズ調整手段がカバー下端周縁部の適宜位置に設けた一方の面ファスナー等の係止具と、この係止具と係止する他方の面ファスナー等の係止受部を前記係止具と所定距離離隔してカバー下端周縁部に設け、これら一方の係止具と他方の係止受部を相互に係止することにより、カバー下端周縁部の周囲長さを長短調整できることを特徴とする履物及び下腿部用雨除けカバーである。
【００１２】
本考案の第５のものは、上記第１乃至第４のいずれかの考案において、前記開閉端縁部のそれぞれに設けた係止部材が面ファスナーからなり、これら面ファスナーが開閉端縁部の上下方向の全体に渡り設けられていることを特徴とする履物及び下腿部用雨除けカバーである。
【００１３】
本考案の第６のものは、上記第１乃至第５のいずれかの考案において、履物の先端部を収納できる収納部の底面が、合成皮革等の堅牢な素材から形成されていることを特徴とする履物及び下腿部用雨除けカバーである。
【考案の効果】
【００１４】
本考案の第１のものにおいては、まず各種タイプの履物及びズボン等の裾部の下腿部を簡単に被覆することができる。
開閉端縁部は、踵部側及び両側面の領域の任意の部位に、その上下方向の全体に渡り分離されて開閉端縁部を形成している関係上、その開閉端縁部の全体を開放して履物及び下腿部に容易に装着できし、取り外す際も簡単である。
同様に、装着に際しては、カバー先端部の収納部内に履物の先端部（爪先部）を収納させるだけであるため簡単である。
【００１５】
そして、本考案においては、カバー下端周縁部の収納部を除く適宜位置に設けたサイズ調整手段によって、各種サイズ及び形態の履物に対応させて装着することができる。
とりわけ本考案においては、ハイヒール等の踵の高い履物であっても装着可能なものとなっているのである。
【００１６】
本考案の第２のもの乃至第４のものにおいては、上記サイズ調整手段をより具体化したものである。
即ち、第２の考案においては、サイズ調整手段をカバー下端周縁部の踵周縁部に設け、且つ、このサイズ調整手段がカバー下端周縁部に沿って接合された帯状部材からなり、この帯状部材の一方端側に面ファスナー等の係止具を設け、その他方端には前記係止具と係止する面ファスナー等の係止受部を設け、これら両端部に設けた係止具と係止受部を係止することにより、カバー下端周縁部の周囲長さが長短調整できることとなる。
つまり、このサイズ調整手段である帯状部材を二つに折り曲げるようにして相互にその両端部を係止させることにより、カバー下端周縁部の周囲長さを適宜長さに長短調節することができるのである。
【００１７】
本考案の第３のものでは、サイズ調整手段をカバー下端周縁部の踵周縁部に設け、そのサイズ調整手段がカバー下端周縁部に沿ってその一方端部が固着された帯状部材からなり、この帯状部材の他方端に面ファスナー等の係止具を設け、この他方端の係止具と相互に係止する面ファスナー等の係止受部をカバー下端周縁部の適宜位置に設け、これら係止具と係止受部を相互に係止することにより、カバー下端周縁部の周囲長さが長短調整できるのである。
この第３のものにおいては、前記第２の考案と違って、帯状部材がカバー下端周縁部に沿ってその全体が接合されていない点である。
つまり、この帯状部材はその一方端部のみがカバー下端周縁部に固着されて、他方端部がフリーの状態となっているものである。
【００１８】
本考案の第４のものでは、サイズ調整手段をカバー下端周縁部の踵周縁部に設け、そのサイズ調整手段が、カバー下端周縁部の適宜位置に設けた一方の面ファスナー等の係止具と、この係止具と係止する他方の面ファスナー等の係止受部を前記係止具と所定距離離隔してカバー下端縁部に設け、これら一方の係止具と他方の係止受部を相互に係止することにより、カバー下端周縁部の周囲長さが長短調整できるものである。
つまり、この第４の考案では、サイズ調整手段が帯状部材から形成されているのではなく、係止具と係止受部の２つを所定距離だけ離隔して設けた点に特徴があるのであり、これによって履物の各種サイズに適合させることができるものである。
【００１９】
本考案の第５のものでは、開閉端縁部のそれぞれに設けた係止部材が面ファスナーからなり、これら面ファスナーが開閉端縁部の上下方向の全体に渡り設けられている点に特徴があり、これにより開閉端縁部の全体が封止されるために、雨水等の浸入を防止できることとなる。
【００２０】
本考案の第６のものでは、履物の先端部（爪先部）を収納する収納部の底面を合成皮革等の堅牢部材により形成したために、この底面部が容易に傷んでしまうことが無いものと成るのである。  
【図面の簡単な説明】
【００２１】
【図１】本考案の履物及び下腿部用雨除けカバーに係る第１実施形態の斜視図である。
【図２】上記第１実施形態の装着時の底面説明図である。
【図３】本考案の他の実施形態に係る装着時の底面説明図である。
【図４】本考案の更に他の実施形態に係る雨除けカバーを示し、その（Ａ）が背面説明図、その（Ｂ）が装着時の底面説明図である。
【考案を実施するための形態】
【００２２】
以下添付の図面と共に、本考案の実施形態について説明する。
図１は、本考案の履物及び下腿部用雨除けカバーに係る第一実施形態の斜視図である。
本考案に係る雨除けカバー１０は、その下方部１０ｂ側で履物の上面部を被覆することができ、その上方部１０ａ側が、下肢の下腿部（膝下部分）のズボン等の裾部を被覆することができる形状を有している。
その素材は、ポリエステル等の化学繊維製の布帛を用い、その表面には防水又は撥水処理が施されている。
【００２３】
雨除けカバー１０の後方、即ち踵部側には、その上下方向の全体が分離され、それぞれ開閉端縁部１１ａ、１１ｂとして形成され、それぞれ相互に着脱自在である。
即ち、これら開閉端縁部１１ａ、１１ｂにはその上下方向の全体に面ファスナー１２ａ、１２ｂが設けられ、相互に係止及び離脱可能に形成されている。
雨除けカバー１０の上端縁部には、伸縮自在の帯状又は紐状の弾性部材が挿通されているために、上記開閉端縁部１１ａ、１１ｂが閉止されると、その上端開口部が拡開自在に伸縮し、下腿部とフィットする。
【００２４】
雨除けカバー１０の先端側の爪先部には履物の先端部を収納できる収納部１３が設けられている。
この収納部１３の底面部１４が履物の爪先部の底面部を被覆できるのである。
その他の履物の踵部分等の底面部に対応する部分には、何も設けられておらず、履物の靴裏部、踵部は外部に露出することとなる。
【００２５】
履物及び下腿部にこの雨除けカバー１０を装着する際は、
履物の爪先部を雨除けカバー１０の収納部１３内に挿入し、ズボン等の裾部を内側にして巻き付けるようにし、後方の開閉端縁部１１ａ、１１ｂにそれぞれ設けた面ファスナー１２ａ、１２ｂ同士を接合して、係止するのである。
【００２６】
最後に履物のサイズに雨除けカバー１０の下端周縁部１５の周囲長さを適合させるために、サイズ調整手段としての帯状部材１６を使用して、サイズ調整を行う。
この帯状部材１６は、その全体が雨除けカバー１０の下端周縁部に沿うように縫着されており、その一方端部１６ａと他方端部１６ｂにそれぞれ面ファスナーが設けられ、相互に係止可能となっている。
【００２７】
従って、この雨除けカバー１０を履物及び下腿部に装着した後、この帯状部材１６のそれぞれの端部に設けられた面ファスナー１６ａ、１６ｂ同士を係着することにより雨除けカバー１０の下端周縁部の長さが履物の下端周縁部に適合して、堅固に装着されるのである。
このサイズ調整手段が本考案において最も特徴的な部分である。
【００２８】
図２は、上記第１実施形態に係る雨除けカバーの装着時の底面説明図である。
この図から判る通り、履物等に雨除けカバー１０を装着し、即ち、後方の開閉端縁部１１ａ、１１ｂ同士を係止し、その後サイズ調整手段としての帯状部材１６の一方端部１６ａを他方端部１６ｂに係止して履物のサイズに適合させることが出来るのである。
尚、ここで、雨除けカバー１０の後方に設けた開閉端縁部１１ａ、１１ｂを設ける位置についてであるが、この第１実施形態では、踵部側の後方中央部に設けたが、この位置は、全く自由であり、後方側或いは内側面又は外側面の所望の位置に設けることができるものである。
【００２９】
図３は、本考案の他の実施形態に係る装着時の底面説明図である。
この実施形態においては、サイズ調整手段の構成が上記実施形態と相違している。
この実施形態に係るサイズ調整手段においては、上記実施形態のように帯状部材の全体が雨除けカバー１０の下端周縁部に接合されているのではなく、この帯状部材２０の一方端部２１のみが雨除けカバー１０の下端周縁部に固着されているものである。
【００３０】
そして、この帯状部材２０の他方端部２２の内面２２ａに面ファスナーが設けられている。他方、この面ファスナーと係止できる他方の面ファスナー２２ｂを雨除けカバー１０の下端周縁部の適宜位置に設けているのである。
これら帯状部材２０の他方端部２２の面ファスナー２２ａと雨除けカバー１０の側に設けた面ファスナー２２ｂとが相互に係着することにより、雨除けカバー１０の下端周縁部の外周の長さが長短調節されるのである。
このように、サイズ調整手段は、各種の形態により実施することができるものである。
【００３１】
図４は、本考案の更に他の実施形態に係る雨除けカバーを示し、その（Ａ）が背面説明図、その（Ｂ）が装着時の底面説明図である。
この図４においても、他の形態のサイズ調整手段を開示している。
この実施形態においては、図４（Ａ）に図示した通り、尚この図４（Ａ）においては、判読し易くするために、雨除けカバー１０の背面を左右方向に拡張した状態に図示しているが、開閉端縁部１１ａ、１１ｂの接合部位の両側にそれぞれ面ファスナー２５、２６を所定間隔を置いて設けたものである。
このように、面ファスナー２５、２６を所定間隔に設けることにより、これらを相互に係着することによって、雨除けカバー１０の下端周縁部の長さを長短変更でき、各種サイズの履物に適当させることができるのである。
【００３２】
以上、本考案の実施形態について説明したが、本考案においては以下の通りその形態を種々設計変更することができる。
本考案に係る雨除けカバーの素材は、防水性又は撥水性を有するものであれば、種々自由に選択することができる。
その大きさやデザインも自由であり、その上下方向の長さも適宜自由に設定することができるが、自転車等に使用するものとして、履物及び下腿部のほぼ全体を被覆できるものが好ましい。
【００３３】
その開閉端縁部を設ける位置も適宜自由に選択することが出来るが、踵部の後方中央部ばかりでなく、履物の両側の側面部位に設けて実施することもできる。
開閉端縁部に設ける係止部材も、その開閉端縁部の上下方向の全体に設けるばかりでなく、その一部分に断続的に設けても良いが、雨水の浸入を考慮するならば、その上下方向の全体に渡り設けることが好ましい。
【００３４】
またこの開閉端縁部に設ける係止部材も面ファスナーでなく、スライドファスナーや留めホック、ボタンとボタンホール、紐状部材による相互締着、ゴム紐状輪状部材とボタン等々、相互に締着・係止することができる係止部材を用いることができる。
但し、相互に係止した際に、隙間等が出来る係止手段の場合には、雨水が浸入しないように片方の開閉端縁部に被覆部材を延設して実施することが好ましい。
【００３５】
履物の収納部の底面部の素材も自由に選択できるが、履物の爪先部下面に位置するために出来るだけ堅牢な素材を用いることが好ましいが、自転車用としては、その底面部が地面に接地し、踏みつける度合いも少ないために、雨除けカバーの他の部位と同じ素材を用いて実施することも可能である。
【００３６】
本考案の最も重要な構成要素であるサイズ調整手段にあっては、その形態を自由に変更することができ、上記詳細な説明では３つの実施形態を開示したが、その形態も更に変更することができる。
要するに、相互に係止できる面ファスナー等の係止部材を所定間隔を保って、つまり靴のサイズの最小と最大のものとの差に適合させた間隔を保持して設ければよく、これら両係止部材の適宜位置に相互に係止することにより、各種サイズの履物に適合させることができることとなるのである。
勿論、この係止部材も面ファスナーでなく、留めホック、ボタンやボタンホール、紐状部材による相互締着、ゴム紐状輪状部材とボタン等々、相互に締着・係止することができる係止部材を用いることができる。
【００３７】
以上、本考案は、極めて簡易な構成により、簡単に折畳んで携帯することができ、簡単に履物及びズボン等の裾部を被覆して、装着でき、どのような形態の履物にも対応可能で、底面部が傷むこともなく、その上、履物の大小のサイズにも適合することができる極めて便利な履物及び下腿部用雨除けカバーを提供することができたものである。
【符号の説明】
【００３８】
１０  雨除けカバー
１１ａ、１１ｂ  開閉端縁部
１２ａ、１２ｂ  面ファスナー
１３  収納部
１４  底面部
１５  下端周縁部
１６  帯状部材（サイズ調整手段）
１６ａ、１６ｂ  面ファスナー
２０  帯状部材（サイズ調整手段）
２２ａ、２２ｂ  面ファスナー
２５、２６  面ファスナー
【図１】
0003166240.tif 000003
【図２】
0003166240.tif 000004
【図３】
0003166240.tif 000005
【図４】
0003166240.tif 000006